(57)【要約】      （修正有）【課題】フィルタを取り外したときに作業者の手に液体が付着しない、送液管に開閉バルブとフィルタとを設けた背負式ミストブロワを提供する。【解決手段】背負式ミストブロワ１０は、作業者が背負う背負フレームと、背負フレームに搭載されて噴出ダクトから空気を噴出させるブロワユニット２０と、背負フレームに搭載されて液体を収容するタンク３０と、ブロワユニット２０の噴出ダクトに接続した送風管２４と、タンク３０の下部から送風管２４の先端部に導出した送液管３４と、送液管３４の管路を開閉する開閉バルブ３５と、タンク３０から送られる液体に含まれる異物を除くフィルタ３６とを備え、送風管２４の先端部が他の部分より最も高い位置となるように鉛直に起立させた状態で、開閉バルブ３５をタンク３０の通常使用時における満液時の液面より高い位置に設け、フィルタ３６を開閉バルブ３５より下流側に介装した。【選択図】図３
2016182090.tif 000002
【特許請求の範囲】
【請求項１】
作業者が背負う背負フレームと、
前記背負フレームに搭載されて、ボリュート内に内蔵したファンを原動機により回転させることで噴出ダクトから空気を噴出させるブロワユニットと、
前記背負フレームに搭載されて、液体を収容したタンクと、
前記噴出ダクトに連通接続した送風管と、
前記タンクの下部から前記送風管に沿って導出され、前記送風管の先端部に前記タンク内の液体を送出する送液管とを備え、
前記送風管の先端開口から噴出する空気ととともに前記タンクから送液管によって送出される液体を前記送風管の先端開口から霧状に散布する背負式ミストブロワであって、
前記送液管には、内部の管路を開閉する開閉バルブを設けるとともに、前記タンクから送られる液体に含まれる異物を除くフィルタを着脱可能に設け、
前記送風管の先端部が他の部分より最も高い位置となるように鉛直に起立させた状態で、前記開閉バルブを前記タンクの通常使用時における満液時の液面より高い位置に設け、前記フィルタを前記送液管の前記開閉バルブより下流側に設けたことを特徴とする背負式ミストブロワ。
【請求項２】
請求項１に記載の背負式ミストブロワにおいて、
前記送風管には作業者が把持するグリップを設け、
前記開閉バルブを前記グリップより先端側の位置で前記送風管に固定したことを特徴とする背負式ミストブロワ。
【請求項３】
請求項１または２に記載の背負式ミストブロワにおいて、
前記フィルタを前記開閉バルブの下流側に一体的に設けたことを特徴とする背負式ミストブロワ。
【発明の詳細な説明】
【技術分野】
【０００１】
本発明は、薬液等の液体を散布することを目的とした背負式のミストブロワに関する。
【背景技術】
【０００２】
特許文献１には、タンク内に収容した薬液を霧状に散布する背負式ミストブロワが開示されている。この背負式ミストブロワは、作業者が背負う背負フレームと、背負フレームに搭載されて噴出ダクトから空気を噴出させるブロワユニットと、背負フレームに搭載されて薬液を収容するタンクと、ブロワユニットの噴出ダクトに接続した送風管と、タンクの下部から送風管の先端部の内部に設けたノズルまで導出した送液管とを備えている。この背負式ミストブロワにおいては、ブロワユニットの原動機の駆動によりファンを回転させ、ボリュートの噴出ダクトに連通接続した送風管の先端開口から空気を噴出させると、送液管によって送風管の先端部の内部のノズルに導かれたタンク内の薬液がベンチュリ効果によって吸引され、薬液が空気と混合されて送風管の先端開口から霧状に吐出される。
【０００３】
この背負式ミストブロワでは、送液管の長手方向の中間部に流路開閉弁が設けられており、背負式ミストブロワを使用しないときには流路開閉弁を閉じて、タンク内の薬液が送液管の先端部の内部のノズルまで送られないようにし、背負式ミストブロワを使用するときには流路開閉弁を開放して、タンク内の薬液を送液管の先端部の内部のノズルまで送るようにしている。
【先行技術文献】
【特許文献】
【０００４】
【特許文献１】特開２０１３−０８５５４０号公報
【発明の概要】
【発明が解決しようとする課題】
【０００５】
特許文献１の背負式ミストブロワにおいては、送液管の先端部に接続したノズルがタンク内の薬液中に混入した異物により詰まるのを防ぐために、送液管に異物を除くフィルタを設けることが望ましい。また、送液管にフィルタを設ける場合には、フィルタを洗浄するときにタンク内の薬液が流出しないように、フィルタを流路開閉弁より下流側に設けることが望ましい。
【０００６】
しかし、フィルタを流路開閉弁より下流側に設けたとしても、送液管の流路開閉弁より下流側に薬液が残っていると、流路開閉弁を閉じてからフィルタを取り外したときに送液管に残る薬液が作業者の手に付着するおそれがあった。本発明は、タンクから送風管の先端に液体を送る送液管に開閉バルブとフィルタとを設けた背負式ミストブロワにおいて、フィルタを取り外したときに作業者の手に液体が付着しないようにすることを目的とする。
【課題を解決するための手段】
【０００７】
上記課題を解決するため、本発明は、作業者が背負う背負フレームと、背負フレームに搭載されて、ボリュート内に内蔵したファンを原動機により回転させることで噴出ダクトから空気を噴出させるブロワユニットと、噴出ダクトに連通接続した送風管と、背負フレームに搭載されて、液体を収容したタンクと、タンクの下部から送風管に沿って導出され、送風管の先端部にタンク内の液体を送出する送液管とを備え、送風管の先端開口から噴出する空気ととともにタンクから送液管によって供給される液体を送風管の先端開口から霧状に散布する背負式ミストブロワであって、送液管には、内部の管路を開閉する開閉バルブを設けるとともに、タンクから送られる液体に含まれる異物を除くフィルタを着脱可能に設け、送風管の先端部が他の部分より最も高い位置となるように鉛直に起立させた状態で、開閉バルブをタンクの通常使用時における満液時の液面より高い位置に設け、フィルタを送液管の開閉バルブより下流側に設けたことを特徴とすることを特徴とする背負式ミストブロワを提供するものである。
【０００８】
上記のように構成した背負式ミストブロワにおいては、送風管の先端部が他の部分より最も高い位置となるように垂直に起立させた状態で、開閉バルブを開放したときには、送液管内の液体はタンクの水位と同じとなるために開閉バルブより必ず下側の水位となり、この状態で開閉バルブを閉じれば、送液管内には開閉バルブより先端側となる下流側、すなわちフィルタを介装した部分に液体が残らないようになる。この状態で、送風管を起立させた状態から倒しても、開閉バルブが閉じられているために、フィルタを介装した部分に液体が流入しないので、異物を取り除くためにフィルタを送液管から取り外しても、作業者の手に液体が付着しないようにできた。
【０００９】
上記のように構成した背負式ミストブロワにおいては、送風管には作業者が把持するグリップを設け、グリップより先端側の位置で送風管に固定するのが好ましく、このようにしたときには、作業者が一方の手でグリップを把持しながら、他方の手で開閉バルブの開閉操作をすることができ、開閉バルブの操作性を良くすることができた。
【００１０】
上記のように構成した背負式ミストブロワにおいては、フィルタを開閉バルブの下流側に一体的に設けるのが好ましく、このようにしたときには、開閉バルブとフィルタとをコンパクトにして送液管に介装することができるとともに、開閉バルブの開閉操作とともにフィルタの着脱操作の操作性を良くすることができた。
【図面の簡単な説明】
【００１１】
【図１】本発明の背負式ミストブロワの一実施形態を斜め前方から見た斜視図である。
【図２】図１の斜め後方から見た斜視図である。
【図３】送風管を起立させた状態の背負式ミストブロワの側面図である。
【発明を実施するための最良の形態】
【００１２】
以下、本発明の背負式ミストブロワの一実施形態を添付図面を参照して説明する。図１及び図２に示したように、背負式ミストブロワ１０は、作業者が背負う背負フレーム１１にブロワユニット２０と、タンク３０とを搭載し、ブロワユニット２０の噴出ダクト２１ａに空気を噴出させる送風管２４を連通接続するとともに、タンク３０の下部から導出した薬液（液体）の送液管３４の先端部を送風管２４の先端部に接続したものである。
【００１３】
図１に示したように、背負フレーム１１は作業者がブロワユニット２０とタンク３０を背負って運ぶためのものであり、背負フレーム１１の後部にブロワユニット２０と前部にタンク３０とを搭載している。背負フレーム１１には作業者が背負う左右一対のショルダーストラップ１２が設けられており、ショルダーストラップ１２の上部はタンク３０の前面に取り付けられ、ショルダーストラップ１２の下部は背負フレーム１１の下部に取り
付けられている。また、タンク３０の前面にはクッション材を備えた背当てパッド１３が設けられており、背当てパッド１３は背負フレーム１１を背負う作業者の背中にタンク３０が直接当たるのを防いでいる。
【００１４】
図１〜図３に示したように、ブロワユニット２０は、ボリュートケース（ボリュート）２１と、ボリュートケース２１内に回転可能に支持したファン２２と、ボリュートケース２１に一体的に組み付けてファン２２を回転させるエンジン（原動機）２３とを備えている。図２に示したように、ボリュートケース２１の右側部には前側の吸気開口から吸い込んだ外気を噴出する噴出ダクト２１ａが一体的に形成されており、この噴出ダクト２１ａには送風管２４が連通接続されている。送風管２４は、噴出ダクト２１ａに回動可能に接続されたエルボ管２５と、エルボ管２５の先端部に連通接続された蛇腹状のフレキシブル管２６と、フレキシブル管２６の先端部に連通接続された真直管２７とを備えている。送風管２４の真直管２７の基端部には作業者が把持するグリップハンドル（グリップ）２８が設けられている。
【００１５】
図１〜図３に示したように、タンク３０は、薬液（液体）を収容するためのものであり、薬液を収容するタンク本体３１と、タンク本体３１の上面の薬液の投入のための開口を塞ぐ蓋体３２とを備えている。この実施形態のタンク本体３１は上面開口より少し下側となる上端部の高さで約１５Ｌの薬液を収容可能となっており、上面開口の高さで約１５．５Ｌの薬液を収容可能となっている。なお、タンク３０から薬液が溢出しないようにするために、このタンク３０の通常使用時での満液を上端部の高さで約１５Ｌの薬液を収容したときとしている。
【００１６】
タンク本体３１の右側部の下部には筒形をした薬液の送出口３３が形成されており、送出口３３には送液管３４の基端部が連通接続されている。送液管３４は送風管２４に沿って配設されており、送液管３４の先端部は送風管２４の先端部内に設けたノズル（図示省略）に接続されている。タンク３０から送液管３４によってノズルに送られた薬液は送風管２４を通過する空気によるベンチュリ効果によって送風管２４の先端部内に吸引され、薬液は空気と混合されて送風管２４の先端開口から霧状に吐出される。なお、送液管３４の薬液が流れる方向の上流側は送風管２４の基端側にて空気が流れる上流側となっており、送液管３４の薬液が流れる方向の下流側は送風管２４の先端側にて空気が流れる下流側となっている。
【００１７】
図１及び図３に示したように、送液管３４には長手方向の中間部に内部の管路を開閉する開閉バルブ３５が設けられている。開閉バルブ３５は内部に薬液の流路が形成された筒形の弁箱３５ａ内に弁体（図示省略）を収容したものであり、開閉バルブ３５の弁箱３５ａはグリップハンドル２８より先端側にて送風管２４の真直管２７に固定されている。弁箱３５ａには弁体を開閉動作させるレバー３５ｂが設けられており、レバー３５ｂを回動させることにより弁体が開閉動作し、弁箱３５ａ内の流路が開放または閉止される。
【００１８】
図１及び図３に示したように、送液管３４にはタンク３０から送られる薬液に含まれる小石等の異物を除くフィルタ３６が設けられており、フィルタ３６は送液管３４に介装した開閉バルブ３５より下流側に設けられている。フィルタ３６は筒形をしたフィルタハウジング３６ａと、フィルタハウジング３６ａ内に設けた網目状の濾材よりなるフィルタエレメント３６ｂとを有している。フィルタハウジング３６ａの上流側は開閉バルブ３５の弁箱３５ａの下流側に固定されており、フィルタハウジング３６ａの下流側は連結用のナット３６ｃによって送液管３４に接続されている。なお、連結用のナット３６ｃをフィルタハウジング３６ａから取り外すことにより、フィルタハウジング３６ａ内に収容したフィルタエレメント３６ｂを取り外して、フィルタエレメント３６ｂの洗浄に供することができる。
【００１９】
図３に示したように、送風管２４の先端部（下流側）が他の部分より最も高い位置となるように鉛直（垂直）に起立させた状態では、開閉バルブ３５はタンク３０の通常使用時での満液時の液面（タンク本体３１に１５Ｌの薬液が収容されたときの液面）の高さＨ１より高い位置に設けられている。また、タンク本体３１の上面開口までの液面を通常使用時の満液とするユーザがいる可能性があるので、この実施形態では、送風管２４を同様に鉛直に起立させた状態で、開閉バルブ３５をタンク本体３１の上面開口の高さＨ２より高い位置に設けている。なお、上述したように、フィルタ３６は送液管３４の開閉バルブ３５より下流側の位置に介装されており、送風管２４を同様に鉛直に起立させた状態で、フィルタ３６は開閉バルブ３５より上側であるので、タンク本体３１の通常使用時の満液（タンク本体３１の上面開口が満液のときも含む）のときの液面の高さより高い位置に設けられている。
【００２０】
上記のように構成した背負式ミストブロワ１０では、ブロワユニット２０のエンジン２３の駆動によってファン２２を回転させ、ボリュートケース２１の噴出ダクト２１ａに接続した送風管２４の先端開口から空気を噴出させると、タンク３０内に収容した薬液が送液管３４によって送風管２４の先端部の内部に設けたノズルに導かれ、導かれた薬液はベンチュリ効果によってノズルから送風管２４の内部に吸引されて、送風管２４の先端開口から空気とともに霧状に吐出される。
【００２１】
この背負式ミストブロワ１０においては、タンク３０内に薬液を注ぎ入れたときに、タンク３０内に小石等の固形の異物が混入することがあった。タンク３０内に混入した異物が薬液とともに送液管３４を通って送風管２４の先端部の内部のノズルに送られると、ノズルの詰まりの原因となるおそれがあった。送液管３４にはフィルタ３６を介装したので、タンク３０内から送液管３４を通って薬液とともに送られる異物をフィルタ３６によって除去することができる。
【００２２】
フィルタ３６にて除去された異物を取り除くときには、図３に示したように、送風管２４の先端部が他の部分より最も高い位置となるように鉛直（垂直）に起立させて、開閉バルブ３５を開放させる。この状態では、送液管３４内の薬液はタンク３０内の薬液と同じ高さの液面となり、開閉バルブ３５はタンク３０の通常使用時における満液時の液面より高い位置に設けられているので、送液管３４内の薬液は開閉バルブ３５より必ず下側の水位（液面）となる。この状態で、開閉バルブ３５のレバー３５ｂを回動させて弁体により流路を閉止させると、送風管２４を起立させた状態から水平またはこれより下側に倒したとしても、送液管３４には開閉バルブ３５より下流側に薬液が流入しないようになる。この後で、フィルタ３６のナット３６ｃをフィルタハウジング３６ａから取り外して、フィルタハウジング３６ａ内のフィルタエレメント３６ｂを取り出して、フィルタエレメント３６ｂから異物を取り除く。フィルタエレメント３６ｂを再びフィルタハウジング３６ａに入れて、ナット３６ｃをフィルタハウジング３６ａに取り付け、開閉バルブ３５のレバー３５ｂを回動させて弁体により流路を開放させると、タンク３０内の薬液が送液管３４内の先端部まで通過可能となり、タンク３０内の薬液が噴霧可能となる。
【００２３】
このように、背負式ミストブロワ１０は、送風管２４の先端部が他の部分より最も高い位置となるように垂直に起立させた状態で、開閉バルブ３５をタンク３０の通常使用時における満液時の液面より高い位置に設け、フィルタ３６を送液管３４の開閉バルブ３５より下流側に介装した。これにより、異物を取り除くためにフィルタ３６を送液管３４から取り外す、具体的には、ナット３６ｃをフィルタハウジング３６ａから取り外して、フィルタハウジング３６ａからフィルタエレメント３６ｂを取り出しても、作業者の手に薬液が付着しないようにできた。
【００２４】
また、背負式ミストブロワ１０においては、開閉バルブ３５をグリップハンドル２８より先端側の位置で送風管２４に固定したので、作業者が右手（一方の手）でグリップハンドル２８を把持して、開閉バルブ３５を左手で操作しやすい位置まで作業者の体側に引き寄せ、左手（他方の手）で開閉バルブ３５のレバー３５ｂにより開閉操作をすることができ、開閉バルブ３５の操作性を良くすることができた。
【００２５】
また、背負式ミストブロワ１０においては、フィルタ３６を開閉バルブ３５の下流側に一体的に設けた。具体的には、開閉バルブ３５の弁箱３５ａにフィルタ３６のフィルタハウジング３６ａを固定した。これにより、開閉バルブ３５とフィルタ３６とをコンパクトにして送液管３４に介装することができるとともに、開閉バルブ３５のレバー３５ｂによる開閉操作とともにフィルタ３６のナット３６ｃをフィルタハウジング３６ａに着脱操作するときの操作性を良くすることができた。
【００２６】
上記の実施形態では、ブロワユニット２０の原動機として内燃機関であるエンジン２３を採用したが、本発明はこれに限られるものでなく、バッテリパックにより給電される、または、外部電源から電源コードにより給電される電動モータをブロワユニット２０の原動機に採用したものであってもよく、このようにしたときにも上述したのと同様の作用効果を得ることができる。
【符号の説明】
【００２７】
１０…背負式ミストブロワ、１１…背負フレーム、２０…ブロワユニット、２１ａ噴出ダクト、２２…ファン、２３…原動機（エンジン）、２４…送風管、２８…グリップ（グリップハンドル）、３０…タンク、３４…送液管、３５…開閉バルブ、３６…フィルタ。
【図１】
2016182090.tif 000003
【図２】
2016182090.tif 000004
【図３】
2016182090.tif 000005